(57)【要約】【課題】必要とされる強度を備えているとともに、容易に組み立てることができる簡易式立体型間仕切りを提供すること。【解決手段】左右方向の寸法と前後方向と寸法と上下方向の寸法とを有し、内部に人が入ることができる空間Ｓ２が設けられている簡易式立体型間仕切り６０は、棒状部材７０と、複数本の棒状部材同士を連結するための連結部材７１，７２と、シート部材８０とを含んで構成され、棒状部材７０と連結部材７１，７２とにより簡易式立体型仕切り６０の立体型骨組みが組み立てられ、この立体型骨組みに形成される複数の面７３〜７６に複数枚のシート部材８０が配設されることにより、これらの面７３〜７６が遮閉される。【選択図】図１４
2014129663.tif 000002
【特許請求の範囲】
【請求項１】
左右方向の寸法と前後方向と寸法と上下方向の寸法とを有し、内部に人が入ることができる空間が設けられている簡易式立体型間仕切りにおいて、
棒状部材と、複数本の前記棒状部材同士を連結するための連結部材と、複数本の前記棒状部材及び複数個の前記連結部材で組み立てられた立体型骨組みに形成される複数の面に配設されてこれらの面を遮閉するための複数枚のシート部材と、を含んで構成されることを特徴とする簡易式立体型間仕切り。
【請求項２】
請求項１に記載の簡易式立体型間仕切りにおいて、それぞれの前記シート部材は可撓性を有し、前記複数枚のシート部材のうち、少なくとも１枚のシート部材は、前記棒状部材の長さ方向に移動自在に配設されており、この移動により、前記少なくとも１枚のシート部材で遮閉されている前記面に開口部を形成することが可能となっていることを特徴とする簡易式立体型間仕切り。
【請求項３】
請求項１又は２に記載の簡易式立体型間仕切りにおいて、それぞれの前記シート部材には、前記棒状部材が内部に挿入可能となっている袋部が設けられ、この袋部の内部に前記棒状部材が挿入されることにより前記立体型骨組みの前記面に前記シート部材が配設されることを特徴とする簡易式立体型間仕切り。
【請求項４】
請求項３に記載の簡易式立体型間仕切りにおいて、それぞれの前記シート部材は正面視で四角形の形状となっており、これらのシート部材の前記袋部は、前記シート部材の上辺部と下辺部に２個設けられ、前記立体型骨組みは、長さ方向が水平方向又は略水平となっている上下２本の前記棒状部材を含んで形成され、前記２個の袋部の内部に前記上下２本の前記棒状部材が挿入されることを特徴とする簡易式立体型間仕切り。
【請求項５】
請求項１〜４のいずれかに記載の簡易式立体型間仕切りにおいて、前記連結部材は、左右面と前後面と上下面とを有する六面体の部材であり、前記左右面のうち、少なくとも１つの面と、前記前後面のうち、少なくとも１つの面と、前記上下面のうち、１つの面とに、前記棒状部材が連結可能となっている棒状部材連結部が設けられていることを特徴とする簡易式立体型間仕切り。
【請求項６】
請求項５に記載の簡易式立体型間仕切りにおいて、前記連結部材の前記左右面の両方の面と、前記前後面の両方の面と、前記上下面のうち、１つの面とに、前記棒状部材連結部が設けられていることを特徴とする簡易式立体型間仕切り。
【請求項７】
請求項５又は６に記載の簡易式立体型間仕切りにおいて、前記棒状部材は、内部に空洞部が前記棒状部材の長さ方向の両端まで連続して形成されている中空パイプとなっており、前記連結部材の前記棒状部材連結部は、前記空洞部に挿入される突起となって前記連結部材に形成されていることを特徴とする簡易式立体型間仕切り。
【請求項８】
請求項５〜７のいずれかに記載の簡易式立体型間仕切りにおいて、前記連結部材の前記上下面のうち、前記棒状部材連結部が設けられていない面に、付属部材が連結可能となっている付属部材連結部が設けられていることを特徴とする簡易式立体型間仕切り。
【請求項９】
請求項８に記載の簡易式立体型間仕切りにおいて、前記付属部材連結部は、前記連結部材に形成された穴となっていることを特徴とする簡易式立体型間仕切り。
【請求項１０】
請求項５〜９のいずれかに記載の簡易式立体型間仕切りにおいて、前記連結部材は第１連結部材であり、２本の前記棒状部材を直列に連結するための第２連結部材を含んで構成されていることを特徴とする簡易式立体型間仕切り。
【請求項１１】
請求項１〜１０のいずれかに記載の簡易式立体型間仕切りにおいて、前記複数枚のシート部材のうち、少なくとも１枚のシート部材の表面及び／又は裏面にポケット部が設けられていることを特徴とする簡易式立体型間仕切り。
【発明の詳細な説明】
【技術分野】
【０００１】
本発明は、内部に人が入ることができる空間が設けられる簡易式立体型間仕切りに係り、例えば、地震や津波、火災等の災害が発生したときに、被災者が寝食等を行なうための空間を仕切るためや、イベント開催会場に設けられる開催者の作業空間を仕切るため等に利用できるものである。
【背景技術】
【０００２】
下記の特許文献１には、内部に人が入ることができる空間が設けられている簡易式立体型間仕切りが示されている。この簡易式立体型間仕切りは、外形状が矩形となっていて、側辺や端辺に連結小孔が形成されている複数枚の間仕切り板と、側辺や端辺を互いに突き合わせるようにして配置された複数枚の間仕切り板の連結小孔に挿通されて、これらの間仕切り板同士を結束するための連結ベルトを含んで構成されているものであり、連結ベルトにより複数枚の間仕切り板を連結することにより、内部に人が入ることができる空間が形成される。
【先行技術文献】
【特許文献】
【０００３】
【特許文献１】特開２００７−１１３３６６号公報
【発明の概要】
【発明が解決しようとする課題】
【０００４】
このように内部に人が入ることができる空間が設けられる簡易式立体型間仕切りは、必要とされる強度を備えていることが求められるとともに、この簡易式立体型間仕切りは、一般的に、災害発生時等の緊急時や、イベント開催時等において臨時に使用されるものであるため、容易に組み立てることができることが求められる。
【０００５】
本発明の目的は、必要とされる強度を備えているとともに、容易に組み立てることができる簡易式立体型間仕切りを提供するところにある。
【課題を解決するための手段】
【０００６】
本発明に係る簡易式立体型間仕切りは、左右方向の寸法と前後方向と寸法と上下方向の寸法とを有し、内部に人が入ることができる空間が設けられている簡易式立体型間仕切りにおいて、棒状部材と、複数本の前記棒状部材同士を連結するための連結部材と、複数本の前記棒状部材及び複数個の前記連結部材で組み立てられた立体型骨組みに形成される複数の面に配設されてこれらの面を遮閉するための複数枚のシート部材と、を含んで構成されることを特徴とするものである。
【０００７】
この簡易式立体型間仕切りは、複数本の棒状部材及び複数個の連結部材により立体型骨組みが組み立てるものとなっているため、内部に人が入るために必要されるだけの充分の強度を備えていることになる。
【０００８】
また、立体型骨組みに形成される複数の面に複数枚のシート部材を配設して、これらの面がシート部材で遮閉されることにより、簡易式立体型間仕切りの組み立て作業が終了するため、この簡易式立体型間仕切りを短時間で容易に組み立てることができ。
【０００９】
本発明において、それぞれのシート部材を可撓性を有するものとし、複数枚のシート部材のうち、少なくとも１枚のシート部材を、棒状部材の長さ方向に移動自在に配設することにより、シート部材で遮閉されている簡易式立体型仕切りの面に、シート部材の移動によって出入口等の開口部を設けることができる。
【００１０】
以上のように立体型骨組みに形成される複数の面に複数枚のシート部材を配設したり、複数枚のシート部材のうち、少なくとも１枚のシート部材を、棒状部材の長さ方向に移動自在に配設するためには、例えば、それぞれのシート部材に、棒状部材が内部に挿入可能となっている袋部を設け、この袋部の内部に棒状部材を挿入することにより、立体型骨組みの面にシート部材を配設することや、少なくとも１枚のシート部材を棒状部材の長さ方向に移動自在に配設することを行なえることになる。
【００１１】
シート部材に上記袋部を設ける場合には、この袋部の個数は１個でもよいが、シート部材を正面視で四角形の形状とする場合には、それぞれのシート部材の袋部を、シート部材の上辺部と下辺部に２個設けるようにし、また、立体型骨組みを、長さ方向が水平方向又は略水平となっている上下２本の棒状部材を含んで形成し、シート部材の上記２個の袋部の内部に上記上下２本の棒状部材を挿入することが好ましい。
【００１２】
これによると、簡易式立体型仕切りの面を、上下２本の棒状部材と、これらの棒状部材が上辺部と下辺部に設けられた袋部に挿入されたシート部材によって形成できるとともに、この面をシート部材により遮閉することができる。
【００１３】
また、立体型骨組みに形成される面にシート部材を配設する作業を、シート部材の上辺部と下辺部に２個設けられている袋部に上下２本の棒状部材を挿入するという簡単な作業により容易に行なえることになる。
【００１４】
本発明において、複数本の棒状部材同士を連結するための前述した連結部材は、複数本の棒状部材同士を連結することができるものであれば、任意の形状及び構造のものでよい。その一例の連結部材は、左右面と前後面と上下面とを有する六面体の部材であって、左右面のうち、少なくとも１つの面と、前後面のうち、少なくとも１つの面と、上下面のうち、１つの面とに、棒状部材が連結可能となっている棒状部材連結部が設けられているものである。
【００１５】
この連結部材によると、この連結部材を立体型骨組みの角部に配置することにより、この骨組みの左右方向と前後方向と上下方向とに延びる棒状部材同士を連結することができ、この骨組みを立体型とすることができる。
【００１６】
また、連結部材の左右面の両方の面と、前後面の両方の面と、上下面のうち、１つの面とに、棒状部材連結部を設けてもよい。
【００１７】
これによると、連結部材に最大で５本の連結部材を連結することが可能となるため、この連結部材と棒状部材とを用いることにより、各種の形状及び大きさを有する簡易式立体型仕切りを組み立てることができ、簡易式立体型仕切りの多様性を実現できることになる。
【００１８】
本発明において、連結部材に棒状部材を連結するための構造は任意のものでよく、その一例は、棒状部材を、内部に空洞部が棒状部材の長さ方向の両端まで連続して形成された中空パイプとし、連結部材の棒状部材連結部を、棒状部材の空洞部に挿入される突起とすることである。また、他の例は、棒状部材を中実の部材とし、連結部材の棒状部材連結部を、棒状部材の端部が挿入される穴とすることである。
【００１９】
前者によると、棒状部材は、内部に空洞部が棒状部材の長さ方向の両端まで連続して形成された中空パイプとなるため、棒状部材の軽量化と取り扱いの容易化を図ることができる。
【００２０】
上述のように連結部材を、左右面と前後面と上下面とを有する六面体の部材とし、左右面のうち、少なくとも１つの面と、前後面のうち、少なくとも１つの面と、上下面のうち、１つの面とに、棒状部材が連結可能となっている棒状部材連結部を設ける場合には、連結部材の上下面のうち、棒状部材連結部が設けられていない面に、付属部材が連結可能となっている付属部材連結部を設けてもよい。
【００２１】
これによると、複数本の棒状部材同士を連結するための連結部材を、付属部材を取り付けるための部材としても用いることができるようになり、連結部材の兼用化を図ることができる。
【００２２】
なお、付属部材は任意の目的のためのものでよく、例えば、簡易式立体型仕切りの内部の空間が、例えば、地震等の災害が発生したときに被災者が寝食等するための生活空間として利用される場合には、被災者の氏名等を表示するためのものでもよく、あるいは、その簡易式立体型仕切りの用途がトイレである場合には、トイレを表示するためのものでもよい。
【００２３】
また、連結部材に設けられる上述の付属部材連結部は、穴でもよく、あるいは、突起等でもよい。
【００２４】
付属部材連結部を穴とした場合には、付属部材連結部を突起とした場合よりも連結部材の全体の寸法を小さくできるため、連結部材を小型化して、多数の連結部材を限られたスペースに有効に収納しておくことができる。
【００２５】
本発明において、複数本の棒状部材同士を連結するための連結部材は、以上説明した連結部材だけもよく、あるいは、他の連結部材を含むものとしてもよい。すなわち、以上説明した連結部材を第１連結部材とし、この第１連結部材とは異なる第２連結部材を用いて簡易式立体型仕切りの立体型骨組みを形成してもよい。
【００２６】
この場合における第２連結部材は、例えば、２本の棒状部材を直列に連結するためのものとすることができる。
【００２７】
これによると、立体型骨組みの左右方向や前後方向等における寸法を、２本以上の棒状部材の合計長さとすることができるため、簡易式立体型仕切りを大型化することも可能となる。
【００２８】
また、本発明において、前述した複数枚のシート部材のうち、少なくとも１枚のシート部材の表面及び／又は裏面にポケット部を設けてもよい。
【００２９】
これによると、ポケット部を、必要に応じて簡易式立体型仕切り等に関連して用意されたり使用されたりする物を入れておくための収納部として利用することができるため、シート部材を、このような機能を備えた部材として兼用化することができる。
【００３０】
また、本発明に係る簡易式立体型仕切りの内部空間は任意の用途に用いることができ、例えば、上述したように、地震等の災害発生時の被災者が寝食等するための生活空間としてや、イベント開催時のトイレ、開催者の作業空間等として用いることができる。
【発明の効果】
【００３１】
本発明によると、簡易式立体型仕切りは、必要とされる強度を備えていて、容易に組み立てることができるという効果を得られる。
【図面の簡単な説明】
【００３２】
【図１】図１は、本発明の一実施形態に係る簡易式立体型仕切りを構成する部材が収納された収納用間仕切壁が使用されている学校の内部の教室の間取りを示す平面図である。
【図２】図２は、図１の教室と廊下との間に設けられている壁であって、本発明の一実施形態に係る簡易式立体型仕切りを構成する部材が収納された収納用間仕切壁が用いられて形成されている壁を示す正面図である。
【図３】図３は、図２で示されている収納用間仕切壁の内部の収納スペースの構造を示す平断面図であって、図２のＳ３−Ｓ３線断面図である。
【図４】図４は、図１及び図２で示されている収納用間仕切壁同士を、収納用間仕切壁幅方向である左右方向に連結するための構造を示す平断面図である。
【図５】図５は、収納用間仕切壁に設けられている扉を一部を省略して示す正面図である。
【図６】図６は、図５の扉を閉じ状態に固定するための構造を一部を省略して示す正面図である。
【図７】図７は、図６のＳ７−Ｓ７線断面図である。
【図８】図８は、収納用間仕切壁の内部の収納スペースに収納されている収納物と、扉の補強部材及び表面部材の補強部材との位置関係を示す平断面図である。
【図９】図９は、収納用間仕切壁の内部の収納スペースを扉を省略して示す正面図であって、収納スペースに収納されている収納物をバンド式の締付体により表面部材側へ押圧して不動の締め付け状態で収納している状態を示す図である。
【図１０】図１０は、図９のバンド式の締付体の端部と、収納用間仕切壁の構造部材となっている縦枠部材との連結構造を一部を省略して示す平断面図である。
【図１１】図１１は、締付体を構成しているバンド状部材のフック部材がリング部材に係止されることにより、バンド式の締付体の端部と縦枠部材とが連結されることを示す正断面図である。
【図１２】図１２は、締付体を、上下方向と左右方向の広がり面積を有するシート状部材を含むものとした実施形態を示す図９と同様の図である。
【図１３】図１３は、収納用間仕切壁の内部の収納スペースに収納されている収納物により、図１の教室で組み立てられる本発明の一実施形態に係る簡易式立体型仕切りの立体型骨組みを示す斜視図である。
【図１４】図１４は、図１３の立体型骨組みにシート部材を配設することにより完成する簡易式立体型仕切りを示す斜視図である。
【図１５】図１５は、図１３で示されている第１連結部材を示す斜視図である。
【図１６】図１６は、図１３で示されている第２連結部材を示す斜視図である。
【図１７】図１７は、図１３で示されている棒状部材を示す斜視図である。
【図１８】図１８は、図１４で示されているシート部材を示す斜視図である。
【図１９】図１９は、２枚のシート部材が配設された簡易式立体型仕切りの前面を示す正面図である。
【図２０】図２０は、図１９のシート部材が棒状部材の長さ方向に移動自在に配設されていることを示す図１９と同様の図である。
【図２１】図２１は、図１３で示されている簡易式立体型仕切りの立体型骨組みとは別の立体型骨組みを示す図１３と同様の図
【図２２】図２２は、別実施形態に係る第１連結部材を示す図１５と同様の図である。
【図２３】図２３は、図２２の実施形態に係る第１連結部材を用いて完成した簡易式立体型仕切りを示す図１９と同様の図である。
【発明を実施するための形態】
【００３３】
以下に本発明を実施するための形態を図面に基づいて説明する。本実施形態に係る簡易式立体型仕切りを構成する部材は、収納用間仕切壁の内部の収納スペースに収納されており、この収納用間仕切壁は、地震や津波、火災等の災害関係物となっている上記簡易式立体型仕切りが使用される建築物である学校の内部の教室を廊下と仕切るために用いられる。
【００３４】
図１には、この学校の教室１と廊下２の間取り図が示されている。教室１は、上記災害が発生したときに、この災害の被災者が利用する空間となっている。教室１と廊下２は壁３で仕切られており、非耐力壁となっているこの壁３は、収納用間仕切壁１０と、出入口１１Ａを有する出入口用間仕切壁１１との連設によって形成されている。すなわち、複数個が左右方向（間仕切壁幅方向）に連結されている収納用間仕切壁１０のうち、右端の収納用間仕切壁１０の右側と、左端の収納用間仕切壁１０の左側とに出入口用間仕切壁１１が連結されている。壁３によって廊下２と仕切られている教室１には、地震や津波、火災等の災害発生時において、収納用間仕切壁１０の内部の収納スペースから災害関係物を含む収納物が取り出されて配置される。この災害関係物は、被災者が内部に入って寝食等するための生活空間を仕切る簡易式立体型仕切り６０を構成する各種の部材であり、これらの部材は、箱に梱包されて収納用間仕切壁１０の内部の収納スペースに収納されており、簡易式立体型仕切り６０を構成する各種の部材と、これらの部材が梱包されている箱とが、本実施形態に係る収納物２０（図２を参照）となっている。
【００３５】
図２は、収納用間仕切壁１０と出入口用間仕切壁１１とを示す正面図である。これらの収納用間仕切壁１０と出入口用間仕切壁１１のそれぞれは、工場で予めユニットとして製造されて施工現場に搬入され、この施工現場で設置及び連設施工されたものとなっており、収納用間仕切壁１０の上下端部と出入口用間仕切壁１１の上下端部は、図２のコンクリート製の天井４と床５に埋設されている配筋材にアンカー部材が溶接で結合されることにより、天井４と床５に固定され、あるいは、天井４と床５に埋設されているナットとこのナットに螺入されるボルトにより、天井４と床５に固定されている。
【００３６】
図２に示されているように、出入口用間仕切壁１１には、出入口１１Ａを開閉するための引き違い式の２個の引戸１２が設けられている。また、収納用間仕切壁１０は、左右両側の縦枠部材１３，１４と、これらの縦枠部材１３，１４の上端間に架設された上枠部材１５と、縦枠部材１３，１４の下端間に架設された下枠部材１６と、縦枠部材１３，１４の上下方向２箇所の間に架設された横枠部材１７，１８とが構造部材となって形成されており、縦枠部材１３，１４と上枠部材１５と横枠部材１７とで囲まれる空間が、引き違い式の２個のガラス障子１９Ａで開閉される上部窓となっているとともに、縦枠部材１３，１４と横枠部材１７と横枠部材１８とで囲まれる空間が、引き違い式の２個のガラス障子１９Ｂで開閉される下部窓となっている。
【００３７】
そして、縦枠部材１３，１４と横枠部材１８と下枠部材１６とで囲まれる空間が、前述の災害関係物を含むものとなっている収納物２０を収納するための収納スペースＳ１となっている。図３は、収納用間仕切壁１０の内部の収納スペースＳ１の構造を示す図２のＳ３−Ｓ３線断面図である。この図３に示されているように、収納スペースＳ１は、左右両側の縦枠部材１３，１４と、収納用間仕切壁１０の厚さ方向両側の表面部材２１，２２とで囲まれた空間となっており、このため、収納スペースＳ１は、左右方向については左右両側の縦枠部材１３，１４まで、収納用間仕切壁１０の厚さ方向については、この収納用間仕切壁１０の厚さ方向両側の外面を形成している表面部材２１，２２まで、それぞれ達する大きなスペースとなっている。
【００３８】
表面部材２１，２２のうち、図１で示した教室１側に向いている表面部材２１は、図３で示されている鉛直方向を軸方向とする回動中心軸２３，２４を中心に回動自在となっている２個の扉２５，２６によって形成されており、これらの扉２５，２６は観音開き式の扉となっている。これらの扉２５，２５は、収納スペースＳ１の開閉可能な蓋として機能する。そして、回動中心軸２３は縦枠部材１３に近接して、回動中心軸２４は縦枠部材１４に近接して、それぞれ配置されているため、扉２５，２６の回動中心部は、これらの縦枠部材１３，１４に接近した位置に設けられている。
【００３９】
なお、表面部材２２及び扉２５，２６はプレス加工により形成された板金製であり、また、表面部材２２は、収納用間仕切壁１０の構造部材となっている縦枠部材１３，１４と下枠部材１６と横枠部材１８とに溶接等により固着されている。
【００４０】
また、図３に示されているように、閉じられているときの扉２５，２６の位置と、表面部材２２の位置は、下枠部材１６等の上記構造部材における収納用間仕切壁１０の厚さ方向の外面よりも少し内側の位置となっているが、これらの位置を構造部材の外面と同じ位置又は略同じ位置としてもよく、また、構造部材の外面よりも外側の位置としてもよい。
【００４１】
図４には、図１及び図２で示されている左右２個の収納用間仕切壁１０同士を、収納用間仕切壁幅方向である左右方向に連結するための連結構造が示されている。左側の収納用間仕切壁１０の縦枠部材１４には、右側へ延出した２個の連結部１４Ａが形成されているとともに、右側の収納用間仕切壁１０の縦枠部材１３には、左側へ延出した２個の連結部１３Ａが形成されており、互いに収納用間仕切壁１０の厚さ方向に重ねられた連結部１３Ａと連結部１４Ａがビス等の結合具２７で結合されることにより、左右２個の収納用間仕切壁１０同士が、これらの収納用間仕切壁１０の左右方向の端部に設けられた連結部１３Ａ，１４Ａによって連結されている。また、左右２個の収納用間仕切壁１０の間には、結合具２７を隠すための化粧カバー２８が配置され、この化粧カバー２８は、連結部１３Ａ，１４Ａと同様に、収納用間仕切壁１０の上下全長又は上下略全長に渡る長さを有している。
【００４２】
図１及び図２で示されている収納用間仕切壁１０と出入口用間仕切壁１１も、図４で示された連結構造と同様の構造により連結されている。
【００４３】
図５には、収納用間仕切壁１０に２個設けられている扉２５，２６の正面図が示されている。図３で示した回動中心軸２３，２４は、図５に示されているように、横枠部材１８と下枠部材１６との間に上下に架け渡されているとともに、回動中心軸２３，２４の上下部は、横枠部材１８と下枠部材１６に配置された軸受け部材で回動自在に支持されている。回動中心軸２３，２４には、横枠部材１８の下側と下枠部材１６の上側とにおいて、図４で示されている平断面コ字形状の補強部材３０が嵌合されている。上下寸法が小さいこれらの補強部材３０は、扉２５と２６のうち、扉２５については、扉２５の縦枠部材１３側の端部に扉２５の上下全長に渡って形成されたＬ字形状の折曲部２５Ａの内部に包持されており、扉２６については、扉２６の縦枠部材１４側の端部に扉２６の上下全長に渡って形成されたＬ字形状の折曲部２６Ａの内部に包持されており、折曲部２５Ａ，２６Ａと補強部材３０とを貫通して回動中心軸２３，２４に達するビス等の結合具３１により、扉２５，２６と回動中心軸２３，２４とが結合されている。
【００４４】
これにより、２個の扉２５，２６は回動中心軸２３，２４を中心に観音開き式に開閉自在となり、これらの扉２５，２６には、図２に示されているように、扉２５，２６を開閉操作するための取手部材３２が設けられている。
【００４５】
図６には、取手部材３２による開閉操作によって閉じられた扉２５，２６をその閉じられた状態に固定するための構造の正面図が示されており、図７は、図６のＳ７−Ｓ７線断面図である。図６及び図７から分かるように、下枠部材１６の上面及び横枠部材１８の下面には、扉２５，２６ごとにストップ部材３３が取り付けられ、これらのストップ部材３３は、下枠部材１６の上面と横枠部材１８の下面に溶接で結合されたベース部３３Ａと、このベース部３３Ａから扉２５，２６と対面する上下方向に延びるストップ部３３ＢとからなるＬ字形状となっており、ストップ部３３Ｂに扉２５，２６の収納スペースＳ１側の面が当接することにより、扉２５，２６は全閉となる。このように全閉となったときに、扉２５，２６に形成されている孔にビス等の結合具３４を、扉２５，２６の収納スペースＳ１側とは反対側の面から挿入し、結合具３４の雄ねじが形成されている軸部３４Ａをストップ部３３Ｂに形成さされている雌ねじ孔に螺入して結合具３４を締め付けることにより、扉２５，２６は、収納用間仕切壁１０の構造部材となっている下枠部材１６と横枠部材１８とにストップ部材３３及び結合具３４を介して結合された全閉の固定状態となる。
【００４６】
取手部材３２による操作によって開閉自在となっている扉２５，２６は、通常時においては上述のようにストップ部材３３や結合具３４による固定手段によって収納用間仕切壁１０の構造部材に固定された状態となっており、地震や津波、火災等の災害発生が発生したときに、結合具３４を取り外すことにより、固定手段による固定を解除することができるため、扉２５，２６を取手部材３２によって回動中心軸２３，２４を中心に開き操作でき、これにより、収納用間仕切壁１０の内部に設けられている収納スペースＳ１が開放され、この収納スペースＳ１に収納されている収納物２０を取り出すことができるようになっている。
【００４７】
なお、扉２５，２６の最大開き角度を所定値に規定するために、例えば、扉２５，２６と横枠部材１８との間にチェーン等の可撓性紐状部材を架け渡してもよい。
【００４８】
図３に示されているように、扉２５，２６には、これらの扉２５，２６の収納スペースＳ１側の面において、収納スペースＳ１側への突出量を有する第１補強部材３５が取り付けられ、また、これらの扉２５，２６と収納用間仕切壁１０の厚さ方向に対向して配置されている前述の表面部材２２にも、この表面部材２２の収納スペースＳ１側の面において、収納スペースＳ１側への突出量を有する第２補強部材３６が取り付けられている。第１補強部材３５は、収納用間仕切壁１０及び扉２５，２６の幅方向である左右方向に間隔をあけて複数個設けられ、第２補強部材３６も、収納用間仕切壁１０及び表面部材２２の幅方向である左右方向に間隔をあけて複数個設けられている。
【００４９】
図８は、これらの第１補強部材３５付きの扉２５，２６及び第２補強部材３６付きの表面部材２２と、これらの第１及び第２補強部材３５，３６との関係で収納スペースＳ１に有効に収納されている収納物２０とを示す収納用間仕切壁１０の一部拡大の平断面図である。第１及び第２補強部材３５，３６は、同じ平断面形状が上下方向に連続している平断面ハット形の板金折り曲げ製品であり、第１及び第２補強部材３５，３６は扉２５，２６、表面部材２２に溶接等で結合されている。このため、扉２５，２６の強度は、第１補強部材３５により補強されているとともに、表面部材２２の強度も、第２補強部材３６により補強されている。
【００５０】
また、扉２５，２６への第１補強部材３５の取り付けは、表面部材２２への第２補強部材３６の取り付けと同じく、扉２５，２６における収納スペースＳ１側に向いている面で行われているため、第１補強部材３５を扉２６，２６に設けても、収納用間仕切壁１０全体の厚さ寸法は大きくならず、収納用間仕切壁１０の厚さ寸法を図１で示した出入口用間仕切壁１１の厚さ寸法と同じ又は略同じにすることができる。
【００５１】
そして、本実施形態では、図８に示されているように、扉２５，２６に取り付けられている第１補強部材３５の収納スペースＳ１側への突出量Ｌ１は、表面部材２２に取り付けられている第２補強部材３６の収納スペースＳ１側への突出量Ｌ２よりも大きくなっている。このため、扉２５，２６が、表面部材２２と異なり、収納用間仕切壁１０の構造部材となっている左右の縦枠部材１３，１４や下枠部材１６、横枠部材１８に溶接等で固着されておらず、下枠部材１６及び横枠部材１８に回動中心軸２３，２４を中心に回動自在に配置された部材となっていても、扉２５，２６の強度を、第２補強部材３６で補強された表面部材２２と同じ程度又は略同じ程度又はそれ以上に大きくすることができる。
【００５２】
収納用間仕切壁１０の内部の収納スペースＳ１に収納されている収納物２０は、図２に示されているように、上下複数段、図示例では上下３段に積み重ねられおり、下段の収納物２０Ａは左右方向の寸法が大きいものになっており、中段の収納物２０Ｂは、上下方向の寸法が収納物２０Ａよりも大きくて左右方向の寸法が収納物２０Ａよりも小さいものになっており、上段の収納物２０Ｃは、上下方向の寸法及び左右方向の寸法が収納物２０Ａ，２０Ｂよりも小さいものになっている。
【００５３】
そして、図８に示されているように、下段及び中段の収納物２０Ａ及び２０Ｂについての収納用間仕切壁１０の厚さ方向の寸法は、Ｌ３であり、これに対して上段の収納物２０Ｃについての収納用間仕切壁１０の厚さ方向の寸法は、Ｌ４であり、この寸法Ｌ４は、寸法Ｌ３よりも大きくなっている。また、寸法Ｌ３は、第１及び第２補強部材３５，３６を除いた表面部材２２と扉２５，２６との間の間隔Ｌ５から第１及び第２補強部材３５，３６の突出量Ｌ１とＬ２とを差し引いた寸法Ｌ６と同じ又はこの寸法よりも小さなっており、寸法Ｌ４は、この寸法Ｌ６よりも大きくなっている。また、寸法Ｌ４は、間隔Ｌ５から突出量Ｌ２を差し引いた寸法と同じ又はこの寸法よりも小さくなっている。
【００５４】
なお、寸法Ｌ３，Ｌ４は、収納物２０のうち、図１で説明した簡易式立体型仕切り６０を構成する各種の部材が梱包されている箱の寸法である。
【００５５】
以上のことから、下段及び中段の収納物２０Ａ及び２０Ｂは、左右の縦枠部材１３，１４まで達する左右方向の寸法が大きくなっている収納スペースＳ１のどの箇所にも収納することができるが、上段の収納物２０Ｃは、第１補強部材３５が配置されている箇所に収納することはできない。
【００５６】
このため、本実施形態では、下段及び中段の収納物２０Ａ及び２０Ｂよりも収納用間仕切壁１０の厚さ方向の寸法Ｌ４が大きくなっている上段の収納物２０Ｃは、収納スペースＳ１のうち、扉２５，２６に収納スペースＳ１側への突出量Ｌ１が大きくなって取り付けられている第１補強部材３５から外れた箇所に配置されている。すなわち、第１補強部材３５は、前述したように、扉２５，２６における収納スペースＳ１側の面に左右方向に複数個設けられており、収納物２０Ｃは、これらの第１補強部材３５のうち、右端の第１補強部材３５よりも右側や、左端の第１補強部材３５よりも左側、さらには、２個の第１補強部材３５同士の間に配置されている。
【００５７】
このため、収納物２０に、収納用間仕切壁１０の厚さ方向の寸法が異なる複数のもの２０Ａ，２０Ｂ，２０Ｃがあっても、これらの収納物２０Ａ，２０Ｂ，２０Ｃのうち、収納用間仕切壁１０の厚さ方向の寸法が大きい収納物２０Ｃを第１補強部材３５から外れた箇所に収納することにより、このような収納物２０Ｃも、収納物２０Ａ，２０Ｂと同様に、収納用間仕切壁１０の内部の収納スペースＳ１に有効に収納することができる。
【００５８】
なお、図８で示されている収納物２０Ｃは、２個の第１補強部材３５同士の間に配置されており、本実施形態では、図３及び図８に示されているように、扉２５，２６に設けられている複数個の第１補強部材３５は、表面部材２２に複数個設けられている第２補強部材３６と左右方向の同じ位置に配置されているため、図８で示されている収納物２０Ｃが配置されている箇所は、２個の第２補強部材３６同士の間の箇所にもなっている。このため、この箇所には、収納用間仕切壁１０の厚さ方向の寸法が間隔Ｌ５と同じ又はこれよりも小さくなっている収納物を収納することができる。
【００５９】
以上において、扉２５，２６を開けて収納用間仕切壁１０の内部の収納スペースＳ１に収納物２０を収納する作業は、収納用間仕切壁１０の製造等が行われる工場において又はこの収納用間仕切壁１０の設置施工作業が行なわれる施工現場において実施され、この収納作業の後に、扉２５，２６は閉じられ、前述した固定手段により収納用間仕切壁１０の構造部材に固定される。そして、地震等の災害が発生した後に、固定手段による固定を解除してから扉２５，２６を開けることにより、収納物２０が収納用間仕切壁１０の内部の収納スペースＳ１から図１の教室１に取り出され、この収納物２０により、図１で示されている簡易式立体型仕切り６０が教室１で組み立てられる。
【００６０】
以上説明した本実施形態によると、収納用間仕切壁１０の厚さ方向の両側に設けられている表面部材２１，２２のうち、一方の表面部材２１は、回動中心軸２３，２４を中心に回動することにより開閉する扉２５，２６となっているため、収納用間仕切壁１０の内部の収納スペースＳ１に収納されている収納物２０を取り出すための作業、及び収納物２０を収納スペースＳ１に収納するための作業を、扉２５，２６を開閉することにより直接的に行えることになり、このため、収納スペースＳ１に対する収納物２０の出し入れを容易に行えるようになる。
【００６１】
また、本実施形態に係る収納用間仕切壁１０の幅方向端部には、図４で説明したように、この収納用間仕切壁１０の幅方向（左右方向）に配置される他の収納用間仕切壁１０や出入口用間仕切壁１１と連結することができる連結部１３Ａ，１４Ａが設けられているため、この連結を行うことにより、図１で示したように、教室１と廊下２とを仕切るために左右方向に長い寸法を有する壁３を形成することができる。
【００６２】
また、壁３を複数個の収納用間仕切壁１０の連設によって形成することにより、それぞれの収納用間仕切壁１０の内部に収納物２０を収納することができる収納スペースＳ１が設けられているため、壁３全体の内部に収納することができる収納物２０の個数や容量を大きくすることができる。
【００６３】
また、本実施形態における収納物２０は、地震や津波、火災等の災害発生時に使用される災害関係物を含むものとなっており、この災害関係物は、前述したように、壁３によって廊下２と仕切られている教室１に、地震等の災害発生時において、収納用間仕切壁１０の内部の収納スペースＳ１から取り出されて配置される図１の簡易式立体型仕切り６０を構成する各種の部材である。
【００６４】
このため、本実施形態によると、学校の内部の空間となっている教室１を、通常時においては、収納用間仕切壁１０によって廊下２と仕切ることができるとともに、地震等の災害が発生したときに教室１が被災者に開放されて利用されるようになった場合には、この収納用間仕切壁１０に開閉可能に設けられている扉２５，２６を開くことにより、この収納用間仕切壁１０の内部から、被災者にとって有用な災害関係物となっている簡易式立体型仕切り６０を構成する各種の部材を直ちに取り出して、この簡易式立体型仕切り６０を、教室１において、組み立てることができるようになる。
【００６５】
また、収納用間仕切壁１０は、扉２５，２６が教室１側に向いて設置されているため、収納用間仕切壁１０の内部から取り出された上記の各種の部材により、被災者に利用される教室１において、簡易式立体型仕切り６０を短時間で組み立てることができる。
【００６６】
また、収納用間仕切壁１０に２個設けられている扉２５，２６は、観音開き式扉となっているため、２個の扉２５，２６を開くことにより、収納用間仕切壁１０に、２個の扉２５，２６の大きさに相当する大きな開口部を設けることができ、特に、図３から分かるように、これらの扉２５，２６の閉じられているときの合計の幅寸法は、左右の縦枠部材１３，１４の幅寸法を除いた収納用間仕切壁１０の幅寸法と同じになっており、このため、扉２５，２６を開くことにより、図２で示したように、左右方向の寸法が充分に大きい長寸の収納物２０Ａであっても容易に取り出すことができる。
【００６７】
図９〜図１１は、収納用間仕切壁１０の内部に、収納スペースＳ１に収納される収納物２０を表面部材２２側へ押圧して不動の締め付け状態で収納するための締付体４０を配置した実施形態を示しており、図９及び図１０では、扉２５，２６が省略されている。
【００６８】
図９で示されている締付体４０は、左右方向を長さ方向とするバンド状部材４１を含んで構成されており、このバンド状部材４１は、上下３段に積み重ねられている収納物２０Ａ，２０Ｂ，２０Ｃごとに設けられ、これらのバンド状部材４１の両端部は、中段の収納物２０Ｂについてのバンド状部材４１を代表例として示している図１０のように、収納用間仕切壁１０の前述した構造部材となっている左右の縦枠部材１３，１４に連結されている。
【００６９】
すなわち、図１０に示されているように、左右の縦枠部材１３，１４には、ベース部材４２が溶接等で結合され、これらのベース部材４２には、左右の縦枠部材１３，１４のうち、左側の縦枠部材１３を代表例として示している図１１のように、縦長状の第１リング部材４３が連結され、これらの第１リング部材４３に、図１０に示されている真円状の第２リング部材４４が連結されている。これらのベース部材４２と第１リング部材４３と第２リング部材４４とにより、バンド状部材４１の端部を左右の縦枠部材１３，１４に連結するために、これらの縦枠部材１３，１４に取り付けられた縦枠部材１３，１４側の連結具が構成されている。
【００７０】
バンド状部材４１の両端部には、図１１に示されているように、第２リング部材４４に係止可能となっているフック部材４５が取り付けられており、このフック部材４５がバンド状部材４１側の連結具となっている。フック部材４５を第２リング部材４４に係止することにより、バンド状部材４１とフック部材４５とで構成されている締付体４０により、収納物２０Ｂは表面部材２２側へ押圧され、より具体的には、表面部材２２に設けられた前述の第２補強部材３６に収納物２０Ｂが押圧当接され、これにより、収納物２０Ｂは不動の締め付け状態で収納スペースＳ１に収納される。
【００７１】
また、本実施形態では、バンド状部材４１側の連結具となっているフック部材４５を縦枠部材１３，１４に連結するために、ベース部材４２と第１リング部材４３と第２リング部材４４とにより構成された縦枠部材１３，１４側の連結具は、図１０から分かるように、扉２５，２６と表面部材２２とのうち、表面部材２２側に近い箇所において、縦枠部材１３，１４に配置されているため、これをより具体的に説明すると、バンド状部材４１の端部に設けられているフック部材４５を第２リング部材４４を介してベース部材４２に連結するための第１リング部材４３は、扉２５，２６と表面部材２２とのうち、表面部材２２側に近い箇所において、ベース部材４２に連結されているため、バンド状部材４１の端部のフック部材４５を、扉２５，２６と表面部材２２とのうち、表面部材２２側に近い箇所において、縦枠部材１３，１４に連結することができる。
【００７２】
これによると、収納用間仕切壁１０の内部の収納スペースＳ１に収納される収納物２０を、バンド状部材４１を含んで構成されている締付体４０により、表面部材２２側へ一層確実に押圧することを実現することができ、これにより、収納物２０を一層確実に不動の締め付け状態として収納スペースＳ１に有効に収納できることになる。
【００７３】
また、本実施形態におけるバンド状部材４１は、弾性的に伸縮可能となった伸縮部材となっており、このため、収納用間仕切壁１０の厚さ方向についての寸法が異なる各種の収納物２０に有効に対処できるとともに、バンド状部材４１の弾性的締め付け力により収納物２０を、表面部材２２側へさらに一層確実に押圧して不動の締め付け状態で収納できる。
【００７４】
なお、バンド状部材４１側の連結具となっているフック部材４５と、ベース部材４２と第１リング部材４３と第２リング部材４４とにより構成される縦枠部材側の連結具とを、バンド状部材４１の両方の端部側のうち、一方の端部側のみに設けるようにし、バンド状部材４１の他方の端部を縦枠部材１３又は１４に結合してもよい。
【００７５】
また、バンド状部材４１側の連結具及び縦枠部材側の連結具は、図９〜図１１に示された実施形態のものに限定されず、任意の形状及び構造のものでよい。
【００７６】
図１２は、別実施形態に係る締付体５０を示す。この締付体５０は、上下方向及び左右方向の大きな寸法を有するシート状部材５１を含んで構成されたものとなっている。このシート状部材５１は、弾性的に伸縮可能となったネット等の部材で形成されているとともに、シート状部材５１の左右方向両端部には、縦枠部材１３，１４に上下複数個設けられた縦枠部材側の連結具に連結されるシート状部材５１側の連結具が上下複数個設けられている。
【００７７】
この実施形態におけるシート状部材５１側の連結具及び縦枠部材側の連結具も、シート状部材５１の左右両方の端部側のうち、一方の端部側のみに設けるようにし、シート状部材５１の他方の端部を縦枠部材１３又は１４に結合してもよい。
【００７８】
また、この実施形態において、シート状部材５１側の連結具及び縦枠部材側の連結具は、図９〜図１１で示した実施形態と同様のものでもよく、あるいは、図９〜図１１に示された実施形態のものに限定されず、任意の形状及び構造のものでよい。
【００７９】
図１２の実施形態に係る締付体５０によると、この締付体５０は、上下複数段に積み重ねられた収納物２０Ａ，２０Ｂ，２０Ｃをカバーすることができる上下方向及び左右方向の大きな寸法を有するシート状部材５１を含んで構成されたものとなっているため、これらの収納物２０Ａ，２０Ｂ，２０Ｃを一括して表面部材２２側へ押圧して不動の締め付け状態で収納スペースＳ１に収納できることになる。
【００８０】
次に、収納用間仕切壁１０の内部の収納スペースＳ１から取り出されて図１の教室１で組み立てられる簡易式立体型仕切り６０について説明する。
【００８１】
図１３には、本実施形態に係る簡易式立体型仕切り６０の立体型骨組み６１が示されている。この立体型骨組み６１は、複数本の棒状部材７０と、複数本の棒状部材７０を、互いに隣接する２本の棒状部材７０を直角又は略直角の配置関係とさせて連結するための第１連結部材７１と、２本の棒状部材７０を直列に連結するための第２連結部材７２とを含んで組み立てられており、そして、右面７３と、左面７４と、前面７５と、後面７６とを有している。本実施形態の立体型骨組み６１では、右面７３及び左面７４は、前面７５及び後面７６の２倍の大きさとなっている。図１４には、これらの右面７３と、左面７４と、前面７５と、後面７６とに正面視で四角形の形状となっているシート部材８０を配設し、これにより完成した簡易式立体型仕切り６０が示されている。この簡易式立体型仕切り６０は、左右方向の寸法と、前後方向の寸法と、上下方向の寸法とを有するものであって、内部は、地震等の災害発生時において、被災者が入って寝食等の生活を行える空間Ｓ２となっている。
【００８２】
長寸部材となっている棒状部材７０は、図１で示した収納物２０Ａ，２０Ｂ，２０Ｃのうち、収納物２０Ａの前述した箱に梱包されて収納用間仕切壁１０の内部の収納スペースＳ１に収納されていたものであり、また、折り畳み可能となっているシート部材８０は収納物２０Ｂの箱に梱包されて、第１及び第２連結部材７１，７２は収納物２０Ｃの箱に梱包されて、それぞれ収納用間仕切壁１０の内部の収納スペースＳ１に収納されていたものである。
【００８３】
図１５は、第１連結部材７１を示している。この第１連結部材７１は、左面７１Ａと、右面７１Ｂと、前面７１Ｃと、後面７１Ｄと、上面７１Ｅと、下面７１Ｆとを有する六面体の合成樹脂製の部材であり、左面７１Ａと、右面７１Ｂと、前面７１Ｃと、後面７１Ｄと、上面７１Ｅとには、棒状部材７０を連結可能とするための棒状部材連結部７７が設けられている。これらの棒状部材連結部７７は、左面７１Ａと、右面７１Ｂと、前面７１Ｃと、後面７１Ｄと、上面７１Ｅとから突出した突起となっており、このため、第１連結部材７１には、互いに隣接する２個同士が直角又は略直角をなして水平四方向又は略水平四方向へ突出した４個の棒状部材連結部７７と、これらの棒状部材連結部７７に対して直角又は略直角をなす一つの方向へ突出した１個の棒状部材連結部７７とによる合計５個の棒状部材連結部７７が設けられている。
【００８４】
図１６は、第２連結部材７２を示している。この第２連結部材７２も六面体の合成樹脂製の部材であり、互いに水平方向又は略水平方向に対向する２つの面７２Ａ，７２Ｂには、棒状部材７０を連結可能とするための棒状部材連結部７８が設けられ、これらの棒状部材連結部７８は、２つの面７２Ａ，７２Ｂから突出した突起となっている。
【００８５】
図１７は、棒状部材７０を示している。長さ方向と直交する断面が円形となっているこの棒状部材７０は、硬質紙製又は合成樹脂製であって、内部は、棒状部材７０の両端まで連続している空洞部７０Ａとなっており、このため、棒状部材７０は、円形の中空パイプである。空洞部７０Ａの大きさは、内部に第１及び第２連結部材７１，７２の棒状部材連結部７７，７８を圧入できる大きさであり、この圧入を行うことにより、棒状部材７０同士を第１連結部材７１や第２連結部材７２によって連結することができる。
【００８６】
このため、第１連結部材７１によると、最大５本の棒状部材７０を、互いに水平方向又は略水平方向や上下方向又は略上下方向に隣接する２本の棒状部材７０同士を直角又は略直角の位置関係とさせて連結することができ、また、第２連結部材７２によると、２本の棒状部材７０を直列の位置関係とさせて連結することができる。
【００８７】
図１８は、シート部材８０を示している。可撓性を有する不透明の布又は合成樹脂製シートで形成されているこのシート部材８０は、前述したように、正面視で四角形の形状となっており、左右方向の寸法及び上下方向の寸法は、棒状部材７０の長さと同じ又は略同じ、あるいは棒状部材７０の長さよりも少し大きくなっている。また、シート部材８０の上辺部と下辺部には、シート部材８０の幅方向（左右方向）の全長に渡って袋部８０Ａが形成されている。このような袋部８０Ａは、シート部材８０の素材シートの上部を下側へ、下部を上側へそれぞれ折り曲げるとともに、これらの端部を素材シートの本体部に縫着又は接着等することにより形成されている。
【００８８】
図１３で示されている簡易式立体型仕切り６０の立体型骨組み６１は、棒状部材７０が合計３４本、第１連結部材７１が合計１２個、第２連結部材７２が合計１４個、それぞれ用いられて組み立てられている。この立体型骨組み６１では、２本の棒状部材７０が第２連結部材７２で水平方向又は略水平方向に直列に連結されることによって１組の棒状部材組みが形成されており、この棒状部材組みを第１連結部材７１によって水平方向又は略水平方向に２組連結したものを上下に配置されることにより、立体型骨組み６１の右面７３と、左面７４とが形成され、また、１組の棒状部材組みを上下に配置することにより、前面７５と、後面７６とが形成されている。そして、右面７３と前面７５及び後面７６との上下の交差部、及び左面７４と前面７５及び後面７６との上下の交差部に、２個の第１連結部材７１が配置されており、これらの上下２個の第１連結部材７１同士は、立体型骨組み６１の上下寸法を規定するために長さ方向を上下方向とした棒状部材７０によって連結されている。また、右面７３及び左面７４のそれぞれの前後方向中央部に上下２個配置されている第１連結部材７１同士も、長さ方向を上下方向とした棒状部材７０によって連結されており、右面７３及び左面７４のそれぞれの前後方向中央部に配置されている第１連結部材７１同士は、右面７３と左面７４の間に配置された上述の棒状部材組みによって連結されている。
【００８９】
なお、以上の説明から分かるように、この立体型骨組み６１では、第１連結部材７１が上下に配置されており、これらの第１連結部材７１は、互いに上下が逆となって用いられている。また、第１連結部材７１は、立体型骨組み６１のそれぞれの角部に配置されている。
【００９０】
以上の立体型骨組み６１は、棒状部材７０の端部における空洞部７０Ａに、第１及び第２連結部材７１，７２に突起として形成されている棒状部材連結部７７，７８を圧入することによって形成されており、この圧入を行う前に、言い換えると、棒状部材７０と第１及び第２連結部材７１，７２とを連結する前に、立体型骨組み６１の右面７３、左面７４，前面７５、後面７６のそれぞれの上辺部と下辺部を形成するために水平方向又は略水平方向が長さ方向となっている上下２本の棒状部材７０を、図１８で示したシート部材８０の上辺部と下辺部に２個設けられている袋部８０Ａの内部に挿入し、この後に、棒状部材７０と第１及び第２連結部材７１，７２とを連結する。
【００９１】
これによって図１４で示した簡易式立体型仕切り６０が完成することになり、この簡易式立体型仕切り６０では、シート部材８０が右面７３、左面７４，前面７５、後面７６に配設されているため、これらの面７３〜７６がシート部材８０によって遮閉されている。図１９には、右面７３、左面７４，前面７５、後面７６のうち、２枚のシート部材８０によって遮閉されている前面７５の正面図が示されている。
【００９２】
本実施形態では、上述したように、棒状部材７０と第１及び第２連結部材７１，７２とにより立体型骨組み６１が組み立てられるため、この立体型骨組み６１により、簡易式立体型仕切り６０は、必要とされる強度を備えることになる。
【００９３】
また、この立体型骨組み６１の右面７３、左面７４，前面７５、後面７６にシート部材８０を配設することによって簡易式立体型仕切り６０が完成し、これらの右面７３、左面７４，前面７５、後面７６がシート部材８０によって遮閉される構造となっているため、これらの面７３〜７６の遮閉を容易に行うことができるとともに、簡易式立体型仕切り６０全体を組み立てるための作業を簡単に短時間で行える。
【００９４】
また、大きな面積を有しているそれぞれのシート部材８０は可撓性材料で形成されているため、折り畳み可能であり、このため、前述した収納用間仕切壁１０の内部の収納スペースＳ１に収納するときに折り畳むことにより、全体をコンパクト化して有効に収納することができる。
【００９５】
さらに、それぞれのシート部材８０は、立体型骨組み６１を構成するためにこの立体型骨組み６１の上下部に２本配置されている棒状部材７０を、シート部材８０の上下部に２個設けられている袋部８０Ａの内部に挿入することにより、右面７３、左面７４，前面７５、後面７６に配設されるため、これらの面７３〜７６にシート部材８０を配設するための作業を容易に行える。
【００９６】
また、第２連結部材７２は、シート部材８０の上辺部と下辺部に設けられた袋部８０Ａの内部に挿入できる大きさとなっているため、この第２連結部材７２を袋部８０Ａで隠して、左右２枚のシート部材８０同士を接続した状態にできる。
【００９７】
さらに、それぞれの棒状部材７０は、内部に空洞部７０Ａが棒状部材７０の両端まで連続して形成された中空パイプとなっているため、これらの棒状部材７０を軽量化することができて、取り扱いを容易化することができる。
【００９８】
また、可撓性を有するシート部材８０は、棒状部材７０の長さ方向に移動自在であり、このため、図２０に示されているように、上述の前面７５を遮閉している２枚のシート部材８０のうち、少なくとも一方を前面７５の左右方向端部に配置されている第１連結部材７１側へ移動させることにより、被災者が入って寝食等の生活を行うための簡易式立体型仕切り６０の内部の空間Ｓ２に出入りするための開口部を前面７５に設けることができる。
【００９９】
図２１は、図１３で示されている簡易式立体型仕切りの立体型骨組み６１よりも左右方向の寸法が大きい立体型骨組み８１であって、立体型骨組み６１と同じく、棒状部材７０と第１及び第２連結部材７１，７２を用いて組み立てることができる立体型骨組み８１を示している。
【０１００】
この立体型骨組み８１の右面９３及び左面９４は、立体型骨組み６１の右面７３及び左面７４と同じ前後方向の寸法となっているが、立体型骨組み８１の前面９５及び後面９６は、立体型骨組み６１の前面７５及び後面７６の２倍の左右方向の寸法となっている。すなわち、立体型骨組み８１の前面９５及び後面９６は、右面９３及び左面９４と同じく、２本の棒状部材７０と１個の第２連結部材７２で形成された前述の１組の棒状部材組みを第１連結部材７１によって２組連結したものを上下に配置されることにより、形成されている。
【０１０１】
この立体型骨組み８１では、多数用いられている第１連結部材７１のうち、立体型骨組み８１の中央部の上下に配置された２個の第１連結部材７１について、これらの第１連結部材７１に合計５個設けられている棒状部材連結部７７の全部に棒状部材７０が連結されている。
【０１０２】
この実施形態から分かるように、棒状部材７０と第１及び第２連結部材７１，７２を用いて組み立てられる簡易式立体型仕切りの立体型骨組みは、合計５個の棒状部材連結部７７の全部を用いた第１連結部材７１が使用されているものでもよく、あるいは、これらの棒状部材連結部７７のうちの一部が用いられた第１連結部材７１が使用されているものでもよい。また、第２連結部材７２を使用してもよく、使用しなくてもよい。
【０１０３】
これにより、各種大きさや形状となっている簡易式立体型仕切りの立体型骨組みを、必要に応じて組み立てることができる。また、これらの立体型骨組みは、棒状部材７０を用いて組み立てられるものであるため、棒状部材７０の長さ寸法と同じ又は略同じ、あるいはこの長さ寸法よりも少し大きい幅寸法を有しているシート部材８０を、これらの立体型骨組みに共通して用いることができる。
【０１０４】
また、棒状部材７０は第１及び第２連結部材７１，７２の棒状部材連結部７７，７８から抜き取り可能であるため、一旦組み立てた立体型骨組みを別の大きさや形状のものに組み立て直すこともできる。
【０１０５】
図２２は、別実施形態に係る第１連結部材１７１を示す。六面体の部材となっているこの第１連結部材１７１にも、図１５の第１連結部材７１と同様に、互いに隣接する２個同士が直角又は略直角をなして水平四方向又は略水平四方向へ突出した４個の棒状部材連結部１７７と、これらの棒状部材連結部１７７に対して直角又は略直角をなす一つの方向へ突出した１個の棒状部材連結部１７７とが設けられている。そして、この実施形態の第１連結部材１７１では、上記４個の棒状部材連結部１７７に対して直角又は略直角をなす一つの方向へ突出した１個の棒状部材連結部１７７が設けられている面１７７Ａとは上下逆になっている面１７７Ｂには、穴１７９が形成されている。この穴１７９は、簡易式立体型仕切りに関係する図２３の付属部材１９０を第１連結部材１７１に取り外し可能に連結するための付属部材連結部となっている。
【０１０６】
図２３には、穴１７９に付属部材１９０を圧入することで第１連結部材１７１にこの付属部材１９０が取り付けられて組み立てられている簡易式立体型仕切りが示されている。この付属部材１９０は、下部が穴１７９に圧入される支柱１９０Ａと、この支柱１９０Ａに取り付けられたパネル等の面状部材１９０Ｂとを有するものであり、この面状部材１９０Ｂには、付属部材１９０が取り付けられている簡易式立体型仕切りを使用している使用者等に関する事項１９０Ｃ、例えば、使用者の氏名等が表示される。
【０１０７】
このように付属部材１９０が取り付けられる簡易式立体型仕切りは、第１連結部材１７１を１個だけ用いて、他の第１連結部材を図１５の第１連結部材７１として組み立ててもよく、あるいは、全部の第１連結部材を図２２の第１連結部材１７１として組み立ててもよい。
【０１０８】
付属部材１９０を取り付けることができる第１連結部材１７１を用いて簡易式立体型仕切りを組み立てた場合には、この第１連結部材１７１を、複数本の棒状部材７０同士を連結するためと、付属部材１９０を取り付けるためとの兼用部材として用いることができる。
【０１０９】
また、図２３の簡易式立体型仕切りを形成している複数枚のシート部材のうち、１枚のシート部材１８０には、上辺部が開口しているポケット部１８１が設けられている。このポケット部１８１は、シート部材１８０に、ポケット用シート１８２の左右両辺部と下辺部とを縫着又は接着等で結合することによって形成されている。これにより、シート部材１８０には、内部に回覧版や新聞等の被収納物１８３を収納することができるポケット部１８１を設けることができる。
【０１１０】
なお、ポケット部１８１は、シート部材１８０の表裏両面に設けてもよく、あるいは、表裏両面のうち、一方の面だけに設けてもよい。また、ポケット部１８１の個数は、１個でもよく、複数個でもよい。
【０１１１】
さらに、図２３の簡易式立体型仕切りは、ポケット部が設けられていない図１８のシート部材８０も用いられて形成されており、このようにポケット部が設けられていないシート部材８０と、ポケット部１８１が設けられているシート部材１８０との両方を用いて簡易式立体型仕切りを形成してもよく、簡易式立体型仕切りは、ポケット部が設けられていないシート部材８０だけにより、あるいは、ポケット部１８１が設けられているシート部材１８０だけにより形成してよい。
【０１１２】
なお、以上説明した実施形態では、簡易式立体型仕切りを構成する各種の部材である棒状部材７０、第１連結部材７１，１７１、第２連結部材７２、シート部材８０，１８０、付属部材１９０は、図１及び図２等で示した収納用間仕切壁１０の内部の収納スペースＳ１に収納されるものとなっているが、これらの部材の収納場所は、これに限定されず、任意の場所や箇所でよい。
【０１１３】
また、前述した実施形態では、棒状部材にシート部材を配設するために、このシート部材の上辺部と下辺部に袋部を設け、これらの袋部の内部に棒状部材を挿入する構成としたが、シート部材の上辺部と下辺部に、これらの上辺部と下辺部に沿って複数個の孔を形成し、これらの孔に棒状部材をシート部材の表裏から交互に挿入することにより、棒状部材にシート部材を配設してもよく、あるいは、棒状部材にシート部材の上辺部と下辺部をクリップ等の挟着具で挟着することにより、棒状部材にシート部材を配設してもよい。
【０１１４】
さらに、前述した第１連結部材は、上下両面のうち、一方の面だけに棒状部材連結部を設けたものとなっていたが、上下両面に棒状部材連結部を設け、これにより、複数本の棒状部材を第１連結部材により上下に連結できるようにして、上下寸法が大きい簡易式立体型仕切りを組み立てることができるようにしてもよい。
【産業上の利用可能性】
【０１１５】
本発明は、例えば、地震や津波、火災等の災害が発生したときに、被災者が寝食等を行なうための空間を仕切るためや、イベント開催会場に設けられる開催者の作業空間を仕切るため等の各種用途のために利用することができる。
【符号の説明】
【０１１６】
６０  簡易式立体型仕切り
６１，８１  立体型骨組み
７０  棒状部材
７０Ａ  空洞部
７１，１７１  第１連結部材
７１Ａ  左面
７１Ｂ  右面
７１Ｃ  前面
７１Ｄ  後面
７１Ｅ  上面
７１Ｆ  下面
７２  第２連結部材
７３，９３  右面
７４，９４  左面
７５，９５  前面
７６，９６  後面
７７，７８，１７７  棒状部材連結部
８０，１８０  シート部材
８０Ａ  袋部
１７９  付属部材連結部である穴
１８１  ポケット部
１９０  袋部
Ｓ２  人が入ることができる空間
【図１】
2014129663.tif 000003
【図２】
2014129663.tif 000004
【図３】
2014129663.tif 000005
【図４】
2014129663.tif 000006
【図５】
2014129663.tif 000007
【図６】
2014129663.tif 000008
【図７】
2014129663.tif 000009
【図８】
2014129663.tif 000010
【図９】
2014129663.tif 000011
【図１０】
2014129663.tif 000012
【図１１】
2014129663.tif 000013
【図１２】
2014129663.tif 000014
【図１３】
2014129663.tif 000015
【図１４】
2014129663.tif 000016
【図１５】
2014129663.tif 000017
【図１６】
2014129663.tif 000018
【図１７】
2014129663.tif 000019
【図１８】
2014129663.tif 000020
【図１９】
2014129663.tif 000021
【図２０】
2014129663.tif 000022
【図２１】
2014129663.tif 000023
【図２２】
2014129663.tif 000024
【図２３】
2014129663.tif 000025